(57)【特許請求の範囲】
【請求項１】
一対のレンズを備えるフロント部の両側部に、蝶番で連結されたテンプルを備えてなる眼鏡フレームであって、
前記テンプルが、前部材、後部材、及び前部材と後部材とを接続する接続部材で構成され、
前記接続部材は、通常の使用温度において超弾性を示す形状記憶材料製であり、
前記前部材及び前記後部材は、互いに対向するそれぞれの接続端の近傍の内側面に固定された把持部を備え、
前記両把持部は、それぞれ前記接続部材の固定位置から離間して位置するとともに、前記接続部材を挿通するために両端が開放された挿通孔を備えていることを特徴とする眼鏡フレーム。
【請求項２】
前記挿通孔の断面積が、前記接続端に向かって漸次拡大していることを特徴とする請求項１に記載の眼鏡フレーム。
【請求項３】
前記接続部材の断面が円形であることを特徴とする請求項１又は２に記載の眼鏡フレーム。
【発明の詳細な説明】
【技術分野】
【０００１】
本発明は眼鏡フレームに関し、特に、形状記憶合金又は形状記憶樹脂を用いてソフトな装着感が得られる眼鏡フレームに関する。
【背景技術】
【０００２】
一般的な眼鏡フレームは、一対のレンズを備えるフロント部の両側部に、蝶番で連結されたテンプルを備えている。フロント部に環状のリムを備えるフルリムタイプや半環状のリムを備えるハーフリムタイプの眼鏡フレームにあっては、左右のリムが中央でブリッジにより連結され、両リムの端部にはヨロイが設けられる。そして、各ヨロイに蝶番を介してテンプルが連結される。
【０００３】
また、リムを備えないツーポイントの眼鏡フレームにあっては、左右のレンズが中央でブリッジにより直接連結され、両レンズの端部にヨロイが直接設けられる。そして、各ヨロイに蝶番を介してテンプルが連結される。
【０００４】
近年、ソフトな装着感を得るために、眼鏡フレームの素材として形状記憶材料が使用されている。例えば、特許文献１にはＮｉ、Ｔｉ、Ｃｏ三元系の超弾性材、及びＮｉ、Ｔｉ二元系の超弾性材をブリッジ及びテンプルに用いる発明が記載され、冷間加工及び成形加工後の形状記憶熱処理に関する研究が記載されている。
【０００５】
また、特許文献２には、テンプルに付ける樹脂製のモダンに関する発明が記載されており、金属製のテンプルが埋め込まれる部分には繊維素系の熱可塑性樹脂等の硬質樹脂を用いるとともに、耳に接触する部分にはポリウレタン系の形状記憶樹脂を用いることが記載されている。
【０００６】
形状記憶材料を使用した眼鏡フレームは、従来の材料と比べて大きく曲げることができる超弾性を備え、使用者に「しなやかな感じ」を与えることができる。そして、ソフトな装着感を与えることができる。しかしながら、従来の眼鏡フレームにおいては、ブリッジやテンプルの素材として単純に形状記憶材料を使用しているために、使用者の頭にしっかりと装着させることが難しいという問題がある。すなわち、素材がしなやかに変形するために、装着された眼鏡フレームが時間の経過とともに前へずり落ちてしまうのである。
【先行技術文献】
【特許文献】
【０００７】
【特許文献１】特開２００２−１８２１６２号公報
【特許文献２】特開２００３−４３４２６号公報
【発明の概要】
【発明が解決しようとする課題】
【０００８】
この発明が解決しようとする課題は、一対のレンズを備えるフロント部の両側部に、蝶番で連結されたテンプルを備えてなる眼鏡フレームであって、形状記憶材料を使用することによりソフトな装着感が得られるとともに、使用者の頭にしっかりと装着され、時間が経過しても前へずり落ちることのない眼鏡フレームを提供することである。
【課題を解決するための手段】
【０００９】
本発明の請求項１に係る眼鏡フレームは、一対のレンズを備えるフロント部の両側部に、蝶番で連結されたテンプルを備えてなる眼鏡フレームであって、前記テンプルが、前部材、後部材、及び前部材と後部材とを接続する接続部材で構成され、前記接続部材は、通常の使用温度において超弾性を示す形状記憶材料製であり、前記前部材及び前記後部材は、互いに対向するそれぞれの接続端の近傍の内側面に固定された把持部を備え、前記両把持部は、それぞれ前記接続部材の固定位置から離間して位置するとともに、前記接続部材を挿通するために両端が開放された挿通孔を備えている手段を採用している。
【００１０】
また、本発明の請求項２に係る眼鏡フレームは、請求項１に記載の眼鏡フレームであって、前記挿通孔の断面積が、前記接続端に向かって漸次拡大している手段を採用している。また、本発明の請求項３に係る眼鏡フレームは、請求項１又は２に記載の眼鏡フレームであって、前記接続部材の断面が円形である手段を採用している。
【発明の効果】
【００１１】
本発明の眼鏡フレームは、上記の手段を採用したことによって、両テンプルを接続部において自由な方向にしなやかに曲げることができる。或いは、両テンプルを接続部において捩じることができる。したがって形状記憶材料特有のソフトな装着感を得ることができる。また、使用される形状記憶材料がテンプルの一部に限定されていることにより、使用者の頭にしっかりと装着され、時間が経過しても前へずり落ちることのない眼鏡フレームとすることができる。
【図面の簡単な説明】
【００１２】
【図１】本発明の眼鏡フレームの一例を示す概略平面図である。
【図２】図１の眼鏡フレームの概略正面図である。
【図３】図１の眼鏡フレームの概略側面図である。
【図４】図１の眼鏡フレームで使用するテンプルの接続部を拡大して示し、（１）は概略平面図、（２）はＡ−Ａ矢視概略側面図、（３）はＢ−Ｂ矢視概略側面図である。
【図５】図１の眼鏡フレームで使用するテンプルの前部材を示し、（１）は概略平面図、（２）はＡ−Ａ矢視概略側面図、（３）はＢ−Ｂ矢視概略側面図、（４）はＣ−Ｃ矢視概略断面図である。
【図６】図１の眼鏡フレームで使用するテンプルの後部材を示し、（１）は概略平面図、（２）はＡ−Ａ矢視概略側面図、（３）はＢ−Ｂ矢視概略側面図である。
【図７】図１の眼鏡フレームで使用するテンプルの接続部材を示し、（１）は概略平面図、（２）はＡ−Ａ矢視概略側面図、（３）はＢ−Ｂ矢視概略断面図、（４）はＣ−Ｃ矢視概略断面図である。
【発明を実施するための形態】
【００１３】
図１には、本発明の実施形態の一例である金属製ハーフリムタイプの眼鏡フレーム１０を示している。図２は、眼鏡フレーム１０の正面図であり、図３は、眼鏡フレーム１０の側面図である。
【００１４】
眼鏡フレーム１０は、フロント部に一対のレンズ４０、４０を保持するリム３０、３０を備え、中央のブリッジ３５によって両リム３０、３０が一体に固定されている。両リム３０、３０の外側には、ヨロイ３１、３１が設けられ、蝶番３２、３２を介してテンプル２０、２０が回動自在に連結されている。また、テンプル２０、２０の端部にはモダン２５、２５が取付けられている。本発明の眼鏡フレーム１０は、テンプル２０に特徴を備えるものであり、その他の部分は従来知られた技術を用いることができる。
【００１５】
図４は、眼鏡フレーム１０のテンプル２０を拡大して示し、（１）は平面図、（２）はＡ−Ａ矢視側面図、（３）はＢ−Ｂ矢視側面図である。本発明の眼鏡フレーム１０において、テンプル２０は、前部材５０、後部材６０、及び前部材５０と後部材６０とを接続する形状記憶材料製の接続部材７０で構成されている。
【００１６】
図５は、テンプル２０の前部材５０を示し、（１）は平面図、（２）はＡ−Ａ矢視側面図、（３）はＢ−Ｂ矢視側面図、（４）はＣ−Ｃ矢視断面図である。前部材５０は、内側面（装着時に顔に向う側面）に接続部材７０を摺動可能に把持する把持部５１と、接続部材７０を固定する固定部５２とを備えている。
【００１７】
把持部５１は、前部材５０が後部材６０と対向する接続端５９の近傍に設けられ、接続部材７０を挿通する挿通孔５３を備えている。挿通孔５３の断面積は、接続端５９の側が接続端５９に向って漸次拡大している。また、固定部５２は、挿通孔５３の延長線上に挿通孔５４を備えている。したがって、接続部材７０は、接続端５９の側から挿通孔５３に挿通され、続いて挿通孔５４に挿通することができる。そして、挿通孔５４の入口付近において、接続部材７０を前部材５０にロウ付けして固定することができる。
【００１８】
図６は、テンプル２０の後部材６０を示し、（１）は平面図、（２）はＡ−Ａ矢視側面図、（３）はＢ−Ｂ矢視側面図である。後部材６０は、内側面（装着時に顔に向う側面）に接続部材７０を摺動可能に把持する把持部６１を備えている。また、接続部材７０を固定するために、螺子孔６５及び凹部６６、６７を備えている。
【００１９】
把持部６１は、後部材６０が前部材５０と対向する接続端６９の近傍に設けられ、接続部材７０を挿通する挿通孔６３を備えている。挿通孔６３の断面積は、接続端６９の側が接続端６９に向って漸次拡大している。また、螺子孔６５は、挿通孔６３の延長線上に位置している。
【００２０】
図７は、テンプル２０の接続部材７０を示し、（１）は平面図、（２）はＡ−Ａ矢視側面図、（３）はＢ−Ｂ矢視断面図、（４）はＣ−Ｃ矢視断面図である。接続部材７０は、断面が円形の主部７１の一端側に、断面が板状の固定部７２を備えている。固定部７２には、固定孔７５が設けられている。
【００２１】
したがって、後部材６０の挿通孔６３に接続部材７０を挿通し、後部材６０の螺子孔６５と接続部材７０の固定孔７５とを一致させて、図４（１）（２）に示すように、押部材８０を介して螺子８１で一体に固定することができる。押部材８０は、後部材６０の凹部６６、６７によって、所定の位置に固定することができる。
【００２２】
本発明の眼鏡フレーム１０は、テンプル２０の前部材５０と後部材６０とが、形状記憶材料で形成された接続部材７０で接続されている。すなわち、テンプル２０の一部のみが形状記憶材料で形成されている。この一部とは、蝶番３２によってヨロイ３１と接続される部分に近い部分であり、また、把持部５１から把持部６１に亘る間であり、１０〜２０ｍｍ程度の距離である。
【００２３】
形状記憶材料としては、特許文献１に記載された形状記憶合金や、特許文献２に記載された形状記憶樹脂を使用することができる。何れの場合も、通常の使用温度において超弾性を示す材料が選定される。例えば、変態温度が−２０〜０℃付近の形状記憶合金を使用することができる。
【００２４】
接続部材７０の断面形状はどの様な形状でも良いが、円形とすることにより、外力を受ける方向が限定されず、自由な方向に変形することが可能となるので好ましい。
【００２５】
接続部材７０は、外力に対して応力が一点に集中しないように注意する必要があり、所定の長さに亘って応力が分散することが好ましい。このため、把持部５１においては、挿通孔５３の断面積が、接続端５９の側が接続端５９に向かって漸次滑らかに拡大されている。したがって、接続部材７０は、外力を受けたときに、挿通孔５３の壁面に沿って滑らかに曲げられることになり、応力を分散させることができる。把持部６１についても同様である。
【００２６】
応力を分散させることによって、形状記憶材料の機能を十分に発揮させることが可能となり、しなやかな感じを与えることができる。そして、使用者にソフトな装着感を与えることができる。本発明の眼鏡フレーム１０では、形状記憶材料がテンプル２０の一部に限定されているために、使用者の頭にしっかりと装着させることができ、時間が経過しても前へずり落ちることがない。
【００２７】
なお、眼鏡フレーム１０においては、金属製の例で示したために、両部材５０、６０と接続部材７０との固定方法をロー付けと螺子止めで示したが、これらの素材の性状や形状によっては融着やカシメとすることもできる。
【符号の説明】
【００２８】
１０    眼鏡フレーム
２０    テンプル
２５    モダン
３０    リム
３１    ヨロイ
３２    蝶番
３５    ブリッジ
４０    レンズ
５０    前部材
５１、６１    把持部
５２、７２    固定部
５３、５４、６３    挿通孔
５９、６９    接続端
６０    後部材
６５    螺子孔
６６、６７    凹部
７０    接続部材
７１    主部
７５    固定孔
８０    押部材
８１    螺子
【図１】
0005406641.tif 000002
【図２】
0005406641.tif 000003
【図３】
0005406641.tif 000004
【図４】
0005406641.tif 000005
【図５】
0005406641.tif 000006
【図６】
0005406641.tif 000007
【図７】
0005406641.tif 000008